(57)【特許請求の範囲】
【請求項１】
全押し操作に応じて、撮影光路中の位置から撮影光路から退避した位置へ回動可能なクイックリターンミラーと、
全押し操作により前記クイックリターンミラーが退避した後に、撮影レンズを通して結像する被写体像の第１結像を撮像して撮影用画像データを出力する撮影用撮像装置と、
前記撮影レンズを通過し前記撮影光路中に位置する前記クイックリターンミラーによって導かれて結像した第２結像を観察するファインダ装置と、
半押し操作に応じて、前記クイックリターンミラーから前記ファインダ装置に導かれた前記第２結像の光束を受光してシーン解析用画像データを出力する解析用撮像装置と、
半押し操作中、前記解析用撮像装置から出力されるシーン解析用画像データに基づいて、少なくとも階調補正を含む画像処理に対応する係数やゲインなどのパラメータを繰り返し算出してパラメータ記憶部に記憶する算出手段と、
前記全押し操作が行われると、前記撮影用画像データに対して、前記パラメータ記憶部に記憶された最新のパラメータを用いて階調補正を含む画像処理を行う画像処理回路と、
前記画像処理回路から出力される画像データを記録媒体に記録する記録制御手段とを備えることを特徴とする一眼レフ電子スチルカメラ。
【請求項２】
全押し操作に応じて、撮影光路中の位置から撮影光路から退避した位置へ回動可能なクイックリターンミラーと、
前記全押し操作により前記クイックリターンミラーが退避した後に、撮影レンズを通して結像する被写体像の第１結像を撮像して撮影用画像データを出力する撮影用撮像装置と、
前記撮影レンズを通過し前記撮影光路中に位置する前記クイックリターンミラーによって導かれて結像した第２結像を観察するファインダ装置と、
半押し操作に応じて、前記クイックリターンミラーから前記ファインダ装置に導かれた前記第２結像の光束を受光してシーン解析用画像データを出力する解析用撮像装置と、
前記解析用撮像装置から出力されるシーン解析用画像データに基づいて、前記被写体像のシーンを解析し、そのシーン解析結果を解析結果記憶部に記憶する処理を繰り返し行う解析手段と、
全押し操作が行われると、前記解析結果記憶部に記憶された前記シーン解析結果に応じて、前記撮影用撮像装置からの撮影用画像データに基づいて少なくとも階調補正を含む各種画像処理に対応する係数やゲインなどのパラメータを算出し、そのパラメータを使用して前記階調補正を含む画像処理を行う画像処理回路と、
前記画像処理回路から出力される画像データを記録媒体に記録する記録制御手段とを備えることを特徴とする一眼レフ電子スチルカメラ。
【請求項３】
請求項１または２の一眼レフ電子スチルカメラにおいて、
前記解析用撮像装置は、半押し操作が行われている間は繰り返しシーン解析用画像データを出力することを特徴とする一眼レフ電子スチルカメラ。
【請求項４】
記録指示操作に応じて、撮影光路中の位置から撮影光路から退避した位置へ回動可能なクイックリターンミラーと、
前記記録指示操作により前記クイックリターンミラーが退避した後に、撮影レンズを通過する被写体像の第１結像を撮像して撮影用画像データを出力する撮影用撮像装置と、
前記撮影レンズを通過し前記撮影光路中に位置する前記クイックリターンミラーによって導かれた被写体像の第２結像の光束を受光してシーン解析用画像データを出力する解析用撮像装置と、
記録指示操作が行われる前に、前記解析用撮像装置から出力されるシーン解析用画像データに基づいて前記被写体像のシーンを解析し、前記シーン解析結果を解析結果記憶部へ記憶する解析手段と、
前記記録指示操作が行われると、前記撮影用撮像装置から出力される撮影用画像データに対して、前記記録指示操作前に前記解析結果記憶部に記憶された最新のシーン解析結果に基づいて階調補正およびホワイトバランス調整を含む画像処理を施す画像処理回路と、
前記画像処理回路から出力される画像データを記録媒体に記録する記録制御手段とを備えることを特徴とする一眼レフ電子スチルカメラ。
【請求項５】
請求項４の一眼レフ電子スチルカメラにおいて、
前記解析手段は、前記シーン解析結果に基づいて、前記画像処理回路の各種画像処理に対応する係数やゲインなどのパラメータを算出することを特徴とする一眼レフ電子スチルカメラ。
【請求項６】
請求項４の一眼レフ電子スチルカメラにおいて、
前記画像処理回路は、前記撮影用撮像装置からの撮影用画像データに基づいて各種画像処理に対応する係数やゲインなどのパラメータを算出し、前記解析手段は、前記画像処理回路が前記パラメータを算出する際に使用する前記撮影用画像データの領域を算出することを特徴とする一眼レフ電子スチルカメラ。
【発明の詳細な説明】
【０００１】
【発明の属する技術分野】
本発明は、被写体を電子的な画像データとして記録する電子スチルカメラに関する。
【０００２】
【従来の技術】
従来から一眼レフ電子スチルカメラが知られている。この一眼レフ電子スチルカメラは、撮影レンズを通過する被写体像がクイックリターンミラーによって導かれるファインダ装置と、クイックリターンミラーの後段に配置され被写体像を撮像して画像データを出力するＣＣＤのような撮像装置と、撮像装置から出力される画像データに対してホワイトバランスやγ補正などの画像処理を施す画像処理回路と、画像処理後のデータをＪＰＥＧなどの方式で圧縮してフラッシュメモリなどの記憶媒体に記憶する圧縮回路と、画像処理後のデータを表示するモニタとを備える。画像処理回路では、撮像装置から出力される画像データに基づいて、予め定めたアルゴリズムによりホワイトバランス調整用のＲゲインやＢゲイン、あるいはγ補正用の階調カーブなどのパラメータを算出する。
【０００３】
【発明が解決しようする課題】
このような一眼レフ電子スチルカメラにあっては、撮像装置の画素数が年々増加し、１００万あるいは２００万画素を越えると画像処理に要する時間が長くなる傾向にある。とくに高画質処理を実現するためにγ補正用の階調カーブを算出する場合には、撮影シーンの解析に時間がかかる他、画像処理回路の規模も大きく複雑になる。また、撮像装置の画素数が多くなるとホワイトバランス調整用ＲゲインやＢゲインを算出する際にも時間がかかる。なお、このような問題は、１００万〜２００万画素を越える撮像装置を有する種々のタイプの電子スチルカメラにも同様に起き得るものである。
【０００４】
本発明の目的は、撮影シーンを解析して画像処理を行なう際の時間を短縮化することのできる電子スチルカメラを提供することにある。
【０００５】
【課題を解決するための手段】
（１）請求項１の発明による一眼レフ電子スチルカメラは、全押し操作に応じて、撮影光路中の位置から撮影光路から退避した位置へ回動可能なクイックリターンミラーと、全押し操作により前記クイックリターンミラーが退避した後に、撮影レンズを通して結像する被写体像の第１結像を撮像して撮影用画像データを出力する撮影用撮像装置と、前記撮影レンズを通過し前記撮影光路中に位置する前記クイックリターンミラーによって導かれて結像した第２結像を観察するファインダ装置と、半押し操作に応じて、前記クイックリターンミラーから前記ファインダ装置に導かれた前記第２結像の光束を受光してシーン解析用画像データを出力する解析用撮像装置と、半押し操作中、前記解析用撮像装置から出力されるシーン解析用画像データに基づいて、少なくとも階調補正を含む画像処理に対応する係数やゲインなどのパラメータを繰り返し算出してパラメータ記憶部に記憶する算出手段と、前記全押し操作が行われると、前記撮影用画像データに対して、前記パラメータ記憶部に記憶された最新のパラメータを用いて階調補正を含む画像処理を行う画像処理回路と、前記画像処理回路から出力される画像データを記録媒体に記録する記録制御手段とを備えることを特徴とする。
（２）請求項２の発明による一眼レフ電子スチルカメラは、全押し操作に応じて、撮影光路中の位置から撮影光路から退避した位置へ回動可能なクイックリターンミラーと、前記全押し操作により前記クイックリターンミラーが退避した後に、撮影レンズを通して結像する被写体像の第１結像を撮像して撮影用画像データを出力する撮影用撮像装置と、前記撮影レンズを通過し前記撮影光路中に位置する前記クイックリターンミラーによって導かれて結像した第２結像を観察するファインダ装置と、半押し操作に応じて、前記クイックリターンミラーから前記ファインダ装置に導かれた前記第２結像の光束を受光してシーン解析用画像データを出力する解析用撮像装置と、前記解析用撮像装置から出力されるシーン解析用画像データに基づいて、前記被写体像のシーンを解析し、そのシーン解析結果を解析結果記憶部に記憶する処理を繰り返し行う解析手段と、全押し操作が行われると、前記解析結果記憶部に記憶された前記シーン解析結果に応じて、前記撮影用撮像装置からの撮影用画像データに基づいて少なくとも階調補正を含む各種画像処理に対応する係数やゲインなどのパラメータを算出し、そのパラメータを使用して前記階調補正を含む画像処理を行う画像処理回路と、前記画像処理回路から出力される画像データを記録媒体に記録する記録制御手段とを備えることを特徴とする。
（３）請求項３の発明は、請求項１または２の一眼レフ電子スチルカメラにおいて、前記解析用撮像装置は、半押し操作が行われている間は繰り返しシーン解析用画像データを出力することを特徴とする。
（４）請求項４の発明による一眼レフ電子スチルカメラは、記録指示操作に応じて、撮影光路中の位置から撮影光路から退避した位置へ回動可能なクイックリターンミラーと、前記記録指示操作により前記クイックリターンミラーが退避した後に、撮影レンズを通過する被写体像の第１結像を撮像して撮影用画像データを出力する撮影用撮像装置と、前記撮影レンズを通過し前記撮影光路中に位置する前記クイックリターンミラーによって導かれた被写体像の第２結像の光束を受光してシーン解析用画像データを出力する解析用撮像装置と、記録指示操作が行われる前に、前記解析用撮像装置から出力されるシーン解析用画像データに基づいて前記被写体像のシーンを解析し、前記シーン解析結果を解析結果記憶部へ記憶する解析手段と、前記記録指示操作が行われると、前記撮影用撮像装置から出力される撮影用画像データに対して、前記記録指示操作前に前記解析結果記憶部に記憶された最新のシーン解析結果に基づいて階調補正およびホワイトバランス調整を含む画像処理を施す画像処理回路と、前記画像処理回路から出力される画像データを記録媒体に記録する記録制御手段とを備えることを特徴とする。
（５）請求項５に記載の発明は、請求項４の一眼レフ電子スチルカメラにおいて、前記解析手段は、前記シーン解析結果に基づいて、前記画像処理回路の各種画像処理に対応する係数やゲインなどのパラメータを算出することを特徴とする。
（６）請求項６の発明は、請求項４の一眼レフ電子スチルカメラにおいて、前記画像処理回路は、前記撮影用撮像装置からの撮影用画像データに基づいて各種画像処理に対応する係数やゲインなどのパラメータを算出し、前記解析手段は、前記画像処理回路が前記パラメータを算出する際に使用する前記撮影用画像データの領域を算出することを特徴とする。
【０００６】
なお、本発明の構成を説明する上記課題を解決するための手段の項では、本発明を分かり易くするために実施の形態の図を用いたが、これにより本発明が実施の形態に限定されるものではない。
【０００７】
【発明の実施の形態】
以下、図面を参照して本発明の実施の形態を説明する。 図１に示すように、この実施の形態による一眼レフ電子スチルカメラは、カメラ本体７０と、カメラ本体７０に着脱されるファインダ装置８０と、撮影レンズ９１と絞り９２を内蔵してカメラ本体７０に着脱される交換レンズ９０とを備える。被写体光は交換レンズ９０を通ってカメラ本体７０に入射し、レリーズ前は点線で示す位置にあるクイックリターンミラー７１でファインダ装置８０に導かれてファインダマット８１に結像する。その被写体像はさらにペンタプリズム８２で接眼レンズ８３に導かれる。また、被写体像はペンタプリズム８２からプリズム８４、光学素子８５によりシーン解析用撮像装置８６の受光面上に結像する。一方、レリーズ後はクイックリターンミラー７１が実線で示す位置に回動し、被写体光は絞り７２を介して撮影用撮像装置７３上に結像する。シーン解析用撮像装置８６は撮影レンズ９１に対して撮影用撮像装置７３と共役な位置に配設される。
【０００８】
図２は実施の形態の回路ブロック図である。半押しスイッチ１１が操作されると、解析用撮像装置８６が電荷蓄積を開始し、蓄積終了後、解析用撮像装置８６はシーン解析用ＲＧＢ画像データを解析回路１０に入力する。解析回路１０はその画像データをデジタル信号に変換し、さらにデジタル画像信号に基づいて撮影シーンを解析する。その解析結果は画像データ用制御回路２１へ転送される。
【０００９】
一方、全押しスイッチ１２が操作されるとクイックリターンミラー７１が上方に回動し、交換レンズ９０からの被写体光は撮影用撮像装置７３の受光面上で結像し、撮影用撮像装置７３には被写体像の明るさに応じた信号電荷が蓄積される。撮影用撮像装置７３に蓄積された信号電荷は、アナログ信号処理回路２２によりゲインコントロール等のアナログ処理が施された後、Ａ／Ｄ変換回路２３によってデジタル信号に変換される。デジタル変換された信号は画像処理回路２４に導かれ、そこでホワイトバランス調整、輪郭補償、ガンマ補正等の画像処理が行われてフォーマット化され、フレームメモリコントローラ２５を通ってフレームメモリ２６に一時的に格納される。画像処理回路２４で行なわれる画像処理に用いられる各種のパラメータはシーン解析回路１０で予め算出されて制御回路２１のメモリ内に記憶されている。
【００１０】
フレームメモリ２６に記憶された画像データは、表示画像作成回路２７により表示用の画像データに処理され、ＬＣＤ等の外部モニタ２８に撮影結果として表示される。また、フレームメモリ２６に記憶された画像データは、圧縮回路２９によりＪＰＥＧ等の方式で所定の比率にデータ圧縮を受け、フラッシュメモリ等のカメラ内メモリ（記憶媒体）３０に記録される。
【００１１】
次に、シーン解析用撮像装置８６とシーン解析回路１０について詳細に説明する。シーン解析用撮像装置８６はたとえば図３に示すように横２４列×縦２０行に分割された４８０個の画素を有する１枚の２次元ＣＣＤである。撮像装置８６の表面には図４に示すように、４８０画素に対応して横２４列×縦２０行の４８０ブロックに分割されたＲＧＢカラーフィルタ８６１が配設されている。４８０ブロックのＲＧＢフィルタを図４に示すように、それぞれが横６列×縦５行のフィルタ素子を有する１６個のブロックＢ１１，Ｂ１２……Ｂ４３，Ｂ４４にグルーピングしてシーン解析に利用する。ここで、シーン解析とは、たとえば撮影シーンの輝度情報、ＲＧＢ信号の分布状態等に関する解析を意味する。
【００１２】
次に、シーンを解析して階調カーブを決定する手順を図５〜図７を参照して説明する。半押しスイッチ１１が操作されると図５に示すプログラムが起動され、ステップＳ１において、シーン解析用撮像装置８６はその受光面上に結像する被写体光による電荷を所定時間蓄積し、その後、蓄積したＲＧＢ画像データをシーン解析回路１０に順次に吐き出す。ステップＳ２では、４８０画素すべての輝度値Ｙｉｊ（ただし、ｉ＝２０、ｊ＝２４）を算出し、ステップＳ３でその全平均値Ｙaveを算出する。ステップＳ４では、１６個のブロックＢ１１〜Ｂ４４ごとのブロック平均輝度値Ｙave1〜Ｙave16を算出する。ステップＳ５に進むと、ブロック平均輝度値Ｙave1〜Ｙave16のそれぞれの差を求め、その差が最大となる輝度差の絶対値Ｙabsを算出する。ステップＳ６では、絶対値Ｙabsと予め定めしきい値Ｙmaxとの大小比較を行なってシーンを解析する。そして、ステップＳ７において、予め図６（ａ）〜（ｄ）のような４種類の階調カーブのいずれを使用するかをシーン解析結果に基づいて以下のように決定する。
【００１３】
（１）最大の輝度差の絶対値Ｙabsが予め定めたしきい値Ｙmax未満であれば、撮影シーンは中間調重視タイプと判断する。中間調重視タイプの場合には図６（ａ）に示すＳ字状階調補正カーブとする。これにより、中間調に階調が確保される。
【００１４】
（２）最大の輝度差の絶対値Ｙabsが予め定めたしきい値Ｙmax以上である場合には、次式のように、全画素平均輝度差Ｙaveと各ブロック平均輝度Ｙave［ｉ］との差Ｙdiff［ｉ］を算出する。
【数１】
Ｙdiff［ｉ］＝Ｙave−Ｙave［ｉ］
ただし、ｉは１〜16の整数
Ｙdiff［ｉ］が予め定めたしきい値Ｙhilightより小さくなっているブロック、あるいは、予め定めたしきい値Ｙshadowより大きくなっているブロックが複数個隣接しているかを調べ、その結果に基づいて次のようにシーンを解析する。ここで、しきい値Ｙhilight＜しきい値Ｙshadowである。
【００１５】
（２−１）
しきい値Ｙhilightより小さくなっているブロックが複数個隣接している場合には、ハイライト重視タイプと判断する。ハイライト重視タイプの場合には図６（ｂ）に示す階調補正カーブとする。これにより、中間調からハイライトにかけて階調が確保される。
（２−２）
しきい値Ｙshadowより大きくなっているブロックが複数個隣接している場合には、シャドウ重視タイプと判断する。シャドウ重視タイプの場合には図６（ｃ）に示す階調補正カーブとする。これにより、シャドウから中間調にかけて階調が確保される。
（２−３）
しきい値Ｙhilightより小さくなっているブロックが複数個隣接し、かつ、しきい値Ｙshadowより大きくなっているブロックが複数個隣接している場合には、ハイライト−シャドウ重視タイプと判断する。ハイライト−シャドウ重視タイプの場合には図６（ｄ）に示す階調補正カーブとする。これにより、シャドウ部とハイライト部の階調が確保される。
【００１６】
さらにステップＳ８において、各々の階調カーブの勾配やγ値を、全輝度平均値Ｙave、ブロック平均輝度値Ｙave1〜Ｙave16、Ｙdiff［ｉ］などを利用して算出し、これらのデータを使用して最終的な階調カーブが決定される。ステップＳ９では、このようにして算出された階調カーブを撮影用制御回路２１に転送する。これにより、制御回路２１はメモリ内に階調カーブを記憶する。そしてステップＳ１０で全押しされるまで上記ステップＳ１〜ステップＳ９を繰り返す。
【００１７】
全押しスイッチ１２が操作されると、クイックリターンミラーが跳ね上がり、図７に示す撮影シーケンスのプログラムが起動される。ステップＳ２１では、撮像装置７３の各画素が受光信号を蓄積し、蓄積終了後、全画素の蓄積電荷を順次に吐き出す。ステップＳ２２において、吐き出された画像データはアナログ信号処理回路２２で処理された後、Ａ／Ｄ変換回路２３でデジタル画像データに変換され、画像処理回路２４に入力される。次にステップＳ２３に進み、シーン解析回路１０で予め算出されてメモリに記憶されている階調カーブを使用して画像データが階調補正される。なお、ホワイトバランス調整なども画像処理回路２４で行なわれる。画像処理が終了するとステップＳ２４に進み、画像処理後の画像データをいったんフレームメモリ２６に記憶する。ステップＳ２５では圧縮回路２９によりＪＰＥＧ方式で画像データを圧縮し、その後、ステップＳ２６で圧縮画像データを記憶媒体３０に記憶する。
【００１８】
このように、この実施の形態では、半押しスイッチ１１が操作されると、シーン解析回路１０で階調カーブが算出され、制御回路２１に転送されてメモリに記憶される。階調カーブの演算は半押しスイッチ１１が操作されている間、繰り返して実行され、最新のデータがメモリに書換えられる。そして、全押しスイッチ１２が操作されて撮影用撮像装置７３に被写体光が結像すると、撮像装置７３は被写体光による電荷を所定時間蓄積して順次に出力する。画像処理回路２４は予め記憶されている階調カーブを使用して階調補正するので、データ量の膨大な撮影用画像データそのものを使用して階調カーブを算出する必要がなく、階調補正処理時間が短縮される。
【００１９】
次に、シーン解析結果に基づいてホワイトバランス調整に使用するＲゲインとＢゲインを算出する手順について図８のフローチャートを参照して説明する。ステップＳ３１でシーン解析用撮像装置８６に受光される被写体光により電荷を所定時間蓄積し、その後、シーン解析用ＲＧＢ画像データを順次にシーン解析回路１０に吐き出す。ステップＳ３２では、シーン解析用撮像装置８６と撮影用撮像装置７３とのカラー特性の相違を補償するマッチング処理を行なう。マッチング処理は、たとえば３×Ｌ（Ｌ≧３）のマトリックス定数と生のＲＧＢデータとの間でマークリックス演算を行なう処理である。
【００２０】
ステップＳ３３では、４８０画素すべてのＲＧＢ信号を用いてＲゲイン全画素平均値ＲgaveとＢゲイン全画素平均値Ｂgaveを算出する。ステップＳ３４では、１６個のブロックＢ１１〜Ｂ４４ごとのＲゲインブロック平均値Ｒgave1〜Ｒgave16と、Ｂゲインブロック平均値Ｂgave1〜Ｂgave16を算出する。
【００２１】
ステップＳ３５に進むと、Ｒゲイン全画素平均値ＲgaveとＲゲインブロック平均値Ｒgave1〜Ｒgave16のそれぞれのゲイン差の絶対値Ｒgdif1〜Ｒgdif16と、Ｂゲイン全画素平均値ＢgaveとＢゲインブロック平均値Ｂgave1〜Ｂgave16のそれぞれのゲイン差の絶対値Ｂgdif1〜Ｂgdif16を次式に基づいて算出する。
【数２】
Ｒgdif［ｉ］＝｜Ｒgave−Ｒgave［ｉ］｜
Ｂgdif［ｉ］＝｜Ｂgave−Ｂgave［ｉ］｜
ただし、ｉは１〜16の整数
【００２２】
ステップＳ３６では、ゲイン差の絶対値Ｒgdif1〜Ｒgdif16のそれぞれをしきい値Ｒdifmaxと比較するとともに、ゲイン差の絶対値Ｂgdif1〜Ｂgdif16のそれぞれをしきい値Ｂdifmaxと比較する。この比較に基づいて以下のようにホワイトバランス用ＲゲインとＢゲインを決定する。
【００２３】
（１）ゲイン差の絶対値Ｒgdif1〜Ｒgdif16のそれぞれがしきい値Ｒdifmax未満であれば、Ｒゲイン全画素平均値ＲgaveをＲゲインとして決定する。ゲイン差の絶対値Ｂgdif1〜Ｂgdif16のそれぞれがしきい値Ｂdifmax未満であれば、Ｂゲイン全画素平均値ＢgaveをＢゲインとして決定する。
【００２４】
（２）ゲイン差の絶対値Ｒgdif1〜Ｒgdif16のいずれかがしきい値Ｒdifmax以上である場合には、しきい値Ｒdifmax未満のゲイン差の絶対値をもつブロックを選択し、それら１もしくは複数のブロックにおけるゲイン差の絶対値Ｒgdifｉの総和に基づいて算出した平均値をＲゲインとして決定する。また、ゲイン差の絶対値Ｂgdif1〜Ｂgdif16のいずれかがしきい値Ｂdifmax以上である場合には、しきい値Ｂdifmax未満のゲイン差の絶対値をもつブロックを選択し、それら１もしくは複数のブロックにおけるゲイン差の絶対値Ｂgdifｉの総和に基づいて算出した平均値をＢゲインとして決定する。
【００２５】
ステップＳ３７では、このようにして算出されたＲゲインとＢゲインを撮影用制御回路２１に転送する。これにより、制御回路２１はメモリ内にＲゲインとＢゲインを記憶する。そしてステップＳ３８で全押しされるまで上記ステップＳ３１〜ステップＳ３７を繰り返す。
【００２６】
全押しスイッチ１２が操作されると、クイックリターンミラー７１が跳ね上がり、図７に示す撮影シーケンスのプログラムが起動される。ステップＳ２１では、撮像装置７３の各画素が受光信号を蓄積し、蓄積終了後、全画素の蓄積電荷を順次に吐き出す。ステップＳ２２において、吐き出された画像データはアナログ信号処理回路２２で処理された後、Ａ／Ｄ変換回路２３でデジタル画像データに変換され、画像処理回路２４に入力される。次にステップＳ２３に進み、シーン解析回路１０で予め算出されてメモリに記憶されているＲゲインとＢゲインを使用して画像データのホワイトバランス調整が行なわれる。なお、画像処理回路２４により階調カーブによるγ補正や輪郭補償などその他の画像処理も行なわれる。
【００２７】
このように、この実施の形態では、半押しスイッチ１１が操作されると、シーン解析回路１０でホワイトバランス調整用ＲゲインとＢゲインが算出され、制御回路２１に転送されてメモリに記憶される。ＲゲインとＢゲインの演算は半押しスイッチ１１が操作されている間、繰り返して実行され、最新のデータがメモリに書換えられる。そして、全押しスイッチ１２が操作されて撮影用撮像装置７３に被写体光が結像すると、撮像装置７３は被写体光による電荷を所定時間蓄積して順次に出力する。その画像データに対して、画像処理回路２４は予め記憶されているＲゲインとＢゲインを使用してホワイトバランス調整を行なう。したがって、データ量の膨大な撮影用画像データそのものを使用してホワイトバランス調整用ＲゲインとＢゲインを算出する必要がなく、ホワイトバランス調整時間が短縮される。また、図９に示すように、たとえば赤い看板ＲＢを背景にした人物シーンなどでは、赤色に偏っている領域を除外してホワイトバランス調整ができ、人物の肌色などの色を忠実に表現できる。
【００２８】
なお、階調カーブと、ホワイトバランス用ＲゲインおよびＢゲインとをシーン解析回路１０で算出して画像処理回路２４に転送して記憶しておき、これらのパラメータを使用して、階調カーブによる高画質処理とホワイトバランス調整の双方を行なってもよい。
【００２９】
また以上では、シーン解析用撮像装置８６の画像データに基づいて、解析回路１０で階調カーブやＲゲインおよびＢゲインを算出して撮影用制御回路２１へ予め転送して記憶するようにした。しかしながら、ホワイトバランス調整については、シーン解析結果に基づいて、ゲイン差の絶対値がしきい値未満にあるブロックを選択し、そのブロックの位置に関する情報を制御回路２１に転送し、制御回路２１では撮影用撮像装置７３からの画像データのうち、ブロック位置情報に対応した領域内の撮影用画像データを用いてホワイトバランス調整用ＲゲインおよびＢゲインを算出するようにしてもよい。すなわち、シーン解析回路１０はＲゲインとＢゲインを算出するための画像データの領域だけを算出する。さらに、本発明は一眼レフ電子スチルカメラに限らず、画素数の多い（例えば１００万画素以上）種々のタイプの電子スチルカメラに適用することができる。
【００３０】
【発明の効果】
本発明によれば、従来よりも短時間でシーン解析による画像処理を行うことができる。
【図面の簡単な説明】
【図１】一眼レフ電子スチルカメラの一実施の形態の構成を示す図
【図２】一眼レフ電子スチルカメラの信号処理系統の一実施の形態のブロック図
【図３】シーン解析用撮像装置の一例を示す図
【図４】シーン解析用撮像装置のカラーフィルタを説明するとともに１６のブロックにグルーピングする一例を説明する図
【図５】半押しスイッチで起動されるプログラムを示すフローチャート
【図６】階調カーブを示す図
【図７】全押しスイッチで起動されるプログラムを示すフローチャート
【図８】半押しスイッチで起動される他のプログラムを示すフローチャート
【図９】赤色の背景の中に人物が位置する場合を示す図
【符号の説明】
１０  シーン解析回路
１１  半押しスイッチ
１２  全押しスイッチ
２１  制御回路
２４  画像処理回路
７０  カメラ本体
７１  クイックリターンミラー
７３  撮影用撮像装置
８０  ファインダ装置
８６  シーン解析用撮像装置
９１  撮影レンズ
【図１】
0004239234.tif 000002
【図２】
0004239234.tif 000003
【図３】
0004239234.tif 000004
【図４】
0004239234.tif 000005
【図５】
0004239234.tif 000006
【図６】
0004239234.tif 000007
【図７】
0004239234.tif 000008
【図８】
0004239234.tif 000009
【図９】
0004239234.tif 000010